(57)【要約】【課題】動作電源の冗長性を向上させることで、動作の信頼性を確保することができる電池電圧監視装置を提供する。【解決手段】ＯＲ回路３２により、複数の電池セル１０により構成される電源供給源と、補機電源２０により構成される電源供給源との２つの電源供給源からセル監視回路３３に動作電源を供給できるようにする。すなわち、複数の電池セル１０により構成される電源供給源からＯＲ回路３２を構成するダイオード３２ａを介してセル監視回路３３に電源電圧Ｖ１の動作電源が供給される一方、補機電源２０から昇圧回路３１およびＯＲ回路３２を構成するダイオード３２ｂを介してセル監視回路３３に電源電圧Ｖ２の動作電源が供給される構成とする。これにより、いずれか一方の電源供給源が故障しても他方の電源供給源からセル監視回路３３に動作電源を供給し続けることができる。【選択図】図１
2011163847.tif 000002
【特許請求の範囲】
【請求項１】
直列接続された複数の電池セルをそれぞれ監視するセル監視回路を備えた電池電圧監視装置であって、
前記複数の電池セルにより構成される電源供給源と、前記複数の電池セルとは異なる電源により構成される電源供給源との少なくとも２つの電源供給源から前記セル監視回路に動作電源を供給する電源入力手段を備えていることを特徴とする電池電圧監視装置。
【請求項２】
前記複数の電池セルとは異なる電源は、車両に搭載される補機電源であることを特徴とする請求項１に記載の電池電圧監視装置。
【請求項３】
前記電源入力手段は、前記電源供給源それぞれから前記セル監視回路に電流が流れるように前記電源供給源それぞれに接続される複数のダイオードにより構成されたＯＲ回路であることを特徴とする請求項１または２に記載の電池電圧監視装置。
【請求項４】
前記複数の電池セルとは異なる電源により構成される電源供給源から前記セル監視回路に供給される動作電源の電圧は、前記複数の電池セルとは異なる電源の電圧が昇圧手段を介して任意の電圧に昇圧されることにより生成されることを特徴とする請求項１ないし３のいずれか１つに記載の電池電圧監視装置。
【請求項５】
前記昇圧手段により、前記複数の電池セルにより構成される電源供給源および前記セル監視回路と、前記複数の電池セルとは異なる電源とが電気的に絶縁分離されていることを特徴とする請求項４に記載の電池電圧監視装置。
【請求項６】
前記複数の電池セルにより構成される電源供給源から前記セル監視回路に供給される動作電源の電圧よりも、前記複数の電池セルとは異なる電源により構成される電源供給源から前記セル監視回路に供給される動作電源の電圧が高いことを特徴とする請求項１ないし５のいずれか１つに記載の電池電圧監視装置。
【請求項７】
前記複数の電池セルをグループ化したブロックが複数直列接続され、前記セル監視回路が前記複数のブロックそれぞれに対応して設けられ、前記電源入力手段が前記複数のセル監視回路それぞれに対応して備えられており、
前記複数のセル監視回路それぞれには、前記電源入力手段を介して、当該セル監視回路に対応したブロックにより構成される電源供給源と、前記ブロックとは異なる前記電源により構成される電源供給源とから動作電源が供給されるようになっており、
前記ブロックから当該ブロックに対応するセル監視回路に供給される動作電源の電圧を前記複数のセル監視回路それぞれから取得し、取得した動作電源の電圧のうちの１つの電圧が他の電圧よりも高い場合、当該高い電圧よりも前記電源により構成される電源供給源から供給される動作電源の電圧を低くする制御手段を備えていることを特徴とする請求項１ないし６のいずれか１つに記載の電池電圧監視装置。
【発明の詳細な説明】
【技術分野】
【０００１】
本発明は、電池電圧監視装置に関する。
【背景技術】
【０００２】
従来より、複数個の電池セルを直列接続した電池ブロックの内部の電池の電圧を検出する電圧検出素子を複数備えた電池電圧検出装置が、例えば特許文献１で提案されている。各電圧検出素子は直列接続され、電池セル毎に電圧が検出されるように構成されている。
【０００３】
また、電圧検出素子は例えばＩＣとして構成され、監視対象の電池セルから動作電源を取得するか、あるいは自動車用補機電源よりトランスを介して動作電源を取得することにより動作する。
【先行技術文献】
【特許文献】
【０００４】
【特許文献１】特開２００７−２３２４１７号公報
【発明の概要】
【発明が解決しようとする課題】
【０００５】
しかしながら、上記従来の技術では、監視対象の電池セルから動作電源を取得すると、電池セルの異常時には動作電源を取得できずに監視自体が不可能になってしまうという問題がある。一方、上記のように補機電源から電源を取得する構成が考えられるが、車両から補機電源が取り外された場合等には監視が制御不可能となる。
【０００６】
本発明は上記点に鑑み、動作電源の冗長性を向上させることで、動作の信頼性を確保することができる電池電圧監視装置を提供することを目的とする。
【課題を解決するための手段】
【０００７】
上記目的を達成するため、請求項１に記載の発明では、直列接続された複数の電池セルをそれぞれ監視するセル監視回路を備えた電池電圧監視装置であって、複数の電池セルにより構成される電源供給源と、複数の電池セルとは異なる電源により構成される電源供給源との少なくとも２つの電源供給源からセル監視回路に動作電源を供給する電源入力手段を備えていることを特徴とする。
【０００８】
これによると、電源入力手段により少なくとも２つの電源供給源からセル監視回路の動作電源を取得しているので、動作電源の冗長性を向上させることができる。したがって、２つの電源供給源のうちのいずれか一方から動作電源の供給を受けられなくなっても、他方から動作電源の供給を受けることができるので、電池電圧監視装置の動作の信頼性を確保することができる。
【０００９】
請求項２に記載の発明では、複数の電池セルとは異なる電源は、車両に搭載される補機電源であることを特徴とする。
【００１０】
これによると、車両には電源供給源となる補機電源が常備されているので、このような補機電源から電源入力手段によりセル監視回路の動作電源を取得することができる。車両に搭載される補機電源としては、１２Ｖの車載バッテリ、オルタネータ、ソーラーパネル、ＤＣ／ＤＣコンバータ等を用いることができる。
【００１１】
請求項３に記載の発明では、電源入力手段は、電源供給源それぞれからセル監視回路に電流が流れるように電源供給源それぞれに接続される複数のダイオードにより構成されたＯＲ回路であることを特徴とする。
【００１２】
このように、ダイオードにより電源入力手段を構成されるので、簡素な構成でセル監視回路の動作電源の冗長設計を行うことができる。
【００１３】
請求項４に記載の発明では、複数の電池セルとは異なる電源により構成される電源供給源からセル監視回路に供給される動作電源の電圧は、複数の電池セルとは異なる電源の電圧が昇圧手段を介して任意の電圧に昇圧されることにより生成されることを特徴とする。
【００１４】
これによると、複数の電池セルとは異なる電源により構成される電源供給源からセル監視回路に供給される動作電源の電圧を可変にすることができる。
【００１５】
そして、複数の電池セルが直列接続されることで高電圧になるので、請求項５に記載の発明のように、昇圧手段により、複数の電池セルにより構成される電源供給源およびセル監視回路と、複数の電池セルとは異なる電源とが電気的に絶縁分離されていることが好ましい。
【００１６】
請求項６に記載の発明では、複数の電池セルにより構成される電源供給源からセル監視回路に供給される動作電源の電圧よりも、複数の電池セルとは異なる電源により構成される電源供給源からセル監視回路に供給される動作電源の電圧が高いことを特徴とする。
【００１７】
これによると、セル監視回路は複数の電池セルとは異なる電源により構成される電源供給源から供給される動作電源により動作する。このため、セル監視回路が複数の電池セルにより構成される電源供給源から供給される動作電源の電圧により動作する場合に、セル監視回路の消費電流によって電池セルのセル電圧にばらつきが発生することを抑制することができる。
【００１８】
請求項７に記載の発明では、複数の電池セルをグループ化したブロックが複数直列接続され、セル監視回路が複数のブロックそれぞれに対応して設けられ、電源入力手段が複数のセル監視回路それぞれに対応して備えられている。
【００１９】
また、複数のセル監視回路それぞれには、電源入力手段を介して、当該セル監視回路に対応したブロックにより構成される電源供給源と、ブロックとは異なる電源により構成される電源供給源とから動作電源が供給されるようになっている。
【００２０】
そして、ブロックから当該ブロックに対応するセル監視回路に供給される動作電源の電圧を複数のセル監視回路それぞれから取得し、取得した動作電源の電圧のうちの１つの電圧が他の電圧よりも高い場合、当該高い電圧よりも電源により構成される電源供給源から供給される動作電源の電圧を低くする制御手段を備えていることを特徴とする。
【００２１】
これによると、高い電圧の動作電源を供給するブロックに対応するセル監視回路には、電源により構成される電源供給源からではなく、当該ブロックから動作電源が供給される。このため、高い電圧の動作電源を供給するブロックの電流が当該ブロックに対応したセル監視回路で消費されるので、他のブロックの動作電源の電圧よりも高い電圧を他のブロックの動作電源の電圧まで下げることができる。したがって、ブロックの動作電源の電圧の均等化を図ることができる。
【図面の簡単な説明】
【００２２】
【図１】本発明の第１実施形態に係る電池電圧監視装置を含んだ電池電圧監視システムの全体構成図である。
【図２】本発明の第２実施形態に係る電池電圧監視装置を含んだ電池電圧監視システムの全体構成図である。
【図３】他の実施形態に係る電池電圧監視装置の構成図である。
【発明を実施するための形態】
【００２３】
以下、本発明の実施形態について図に基づいて説明する。なお、以下の各実施形態相互において、互いに同一もしくは均等である部分には、図中、同一符号を付してある。
【００２４】
（第１実施形態）
以下、本発明の第１実施形態について図を参照して説明する。図１は、本実施形態に係る電池電圧監視装置を含んだ電池電圧監視システムの全体構成図である。この図に示されるように、電池電圧監視システムは、複数の電池セル１０と補機電源２０と電池電圧監視装置３０とを備えて構成されている。
【００２５】
電池セル１０は、一定の電圧を発生させることができる電圧源であり、いわゆる単セルである。本実施形態では、６個の電池セル１０が直列接続されている。電池セル１０としては、例えば、充電可能なリチウムイオン二次電池が採用される。電池セル１０は例えばハイブリッド車等の電気自動車に搭載される。
【００２６】
そして、複数の電池セル１０は、当該複数の電池セル１０により構成される１つの電源供給源として機能し、例えば、負荷を駆動するための電源や電子機器の電源等に用いられる。本実施形態では、複数の電池セル１０により構成された電源供給源の電源電圧をＶ１とする。
【００２７】
補機電源２０は、複数の電池セル１０とは異なる電源であり、複数の電池セル１０とは異なる電源供給源として機能する。このような補機電源２０は車両に搭載される電源であり、例えば、１２Ｖの車載バッテリ、オルタネータ、ソーラーパネル、ＤＣ／ＤＣコンバータ等が採用される。
【００２８】
電池電圧監視装置３０は、例えば、電池セル１０全体の残存容量検出機能、二次電池である電池セル１０の過充電および過放電を検出する過充放電検出機能等の機能を有する装置である。
【００２９】
残存容量検出機能は、二次電池である電池セル１０全体の残存容量（State of Charge；ＳＯＣ）を検出する機能である。残存容量は、電池セル１０の電圧や電池セル１０に流れる電流から求められる。過充放電検出機能は、電池セル１０の電圧と閾値とを比較することにより電池セル１０の電圧の監視を行う機能である。電池セル１０が二次電池の場合、電池電圧監視装置３０は電池セル１０の電圧が過充電を検出する閾値と過放電を検出する閾値との間つまり所定範囲にあるかを監視することとなる。
【００３０】
このような各機能を実現するため、電池電圧監視装置３０は、昇圧回路３１と、ＯＲ回路３２と、セル監視回路３３と、マイクロコンピュータ３４（以下、マイコン３４という）と、を備えている。
【００３１】
昇圧回路３１は、補機電源２０の電源電圧を昇圧する回路である。本実施形態では、昇圧回路３１により昇圧された電源電圧をＶ２とする。すなわち、補機電源２０により構成される電源供給源からセル監視回路３３に供給される動作電源の電源電圧Ｖ２は、補機電源２０の電圧が昇圧回路３１を介して任意の電圧に昇圧されることにより生成される電圧である。
【００３２】
そして、昇圧回路３１としては、トランスやチャージポンプ等が採用され、例えばマイコン３４により昇圧比が調節可能なように回路構成されている。したがって、昇圧回路３１は補機電源２０により構成される電源供給源からセル監視回路３３に供給される電源電圧Ｖ２を可変にすることができる。本実施形態では、昇圧回路３１としてトランスが採用される。
【００３３】
例えば、昇圧回路３１としてトランスが採用される場合、補機電源２０の電源電圧は補機電源２０側のコイルとセル監視回路３３側のコイルとの巻数の比率に応じて昇圧されるので、昇圧回路３１によって複数の電池セル１０により構成される電源供給源側と補機電源２０により構成される電源供給源側とが電気的に絶縁分離される。
【００３４】
なお、昇圧回路３１としてチャージポンプが採用される場合、昇圧はスイッチの切り替えによりコンデンサが充電されることで行われるので、この場合についても当該スイッチにより複数の電池セル１０により構成される電源供給源側と、補機電源２０により構成される電源供給源側とが電気的に絶縁分離される。
【００３５】
ＯＲ回路３２は、複数の電池セル１０により構成される電源供給源と、補機電源２０により構成される電源供給源との２つの電源供給源からセル監視回路３３に動作電源を供給するための電源入力手段である。ここで、複数の電池セル１０により構成される電源供給源の電源電圧Ｖ１が複数の電池セル１０により構成される電源供給源からセル監視回路３３に供給される動作電源に対応する。また、補機電源２０により構成される電源供給源から昇圧回路３１を介して昇圧された電源電圧Ｖ２が補機電源２０により構成される電源供給源からセル監視回路３３に供給される動作電源に対応する。
【００３６】
このようなＯＲ回路３２は、複数の電池セル１０のうち最も高電圧側の電池セル１０の正極にカソードが接続されるダイオード３２ａと、昇圧回路３１にカソードが接続されるダイオード３２ｂとを備えている。そして、各ダイオード３２ａ、３２ｂのアノードが接続されると共に当該接続点がセル監視回路３３に接続されている。
【００３７】
これによると、複数の電池セル１０により構成される電源供給源からダイオード３２ａを介してセル監視回路３３に電源電圧Ｖ１の動作電源が供給される一方、補機電源２０から昇圧回路３１およびダイオード３２ｂを介してセル監視回路３３に電源電圧Ｖ２の動作電源が供給される構成になっている。すなわち、セル監視回路３３には各電源供給源からＯＲ回路３２を介して電源電圧Ｖ１および電源電圧Ｖ２の動作電源のうち少なくとも一方から動作電源が供給されるので、ＯＲ回路３２は論理回路の論理和（ＯＲ）と同じ機能を果たす。
【００３８】
そして、本実施形態では、通常、複数の電池セル１０により構成される電源供給源からセル監視回路３３に供給される動作電源の電源電圧Ｖ１よりも、補機電源２０により構成される電源供給源からセル監視回路３３に供給される動作電源の電源電圧Ｖ２が高くなるように、昇圧回路３１がマイコン３４により制御される。
【００３９】
これにより、セル監視回路３３にはＯＲ回路３２を介して電池セル１０および補機電源の双方から動作電源が供給されるが、電源電圧Ｖ２が電源電圧Ｖ１よりも高いため、セル監視回路３３はこの動作電源の電源電圧Ｖ２により動作する。したがって、電池セル１０により構成される電源供給源をセル監視回路３３のバックアップ電源とすることができ、電源の冗長性が向上する。
【００４０】
セル監視回路３３は、各電池セル１０のセル電圧の検出、電池セル１０に流れる電流の検出、各電池セル１０のセル電圧の均等化等を行う回路である。セル監視回路３３として、例えばＩＣが用いられる。
【００４１】
このようなセル監視回路３３は電源部３３ａを備えている。電源部３３ａは、ＯＲ回路３２と、複数の電池セル１０のうち最も低電圧側の電池セル１０の負極とにそれぞれ接続され、これらの電圧差から一定電圧を生成するように構成された回路部である。この一定電圧は、セル監視回路３３の動作に用いられる。また、電源部３３ａは電源電圧Ｖ２を検出する機能も有している。そして、電源部３３ａで検出された電源電圧Ｖ２のデータはマイコン３４に出力される。
【００４２】
マイコン３４は、図示しないＣＰＵ、ＲＯＭ、ＥＥＰＲＯＭ、ＲＡＭ等を備え、ＲＯＭ等に記憶されたプログラムに従って上記各機能を実行する制御回路である。このようなマイコン３４は、セル監視回路３３に対して制御信号を出力することにより、セル監視回路３３に各電池セル１０のセル電圧の検出等の所望の処理を実行させる。そして、マイコン３４は、セル監視回路３３からデータを取得し、残存容量の演算（組電池状態監視）や過充放電判定や故障判定を行う。
【００４３】
なお、図１では、マイコン３４はセル監視回路３３と別体とされているが、マイコン３４がセル監視回路３３に設けられていても良い。
【００４４】
具体的に、マイコン３４は以下の動作を行う。まず、マイコン３４は、セル監視回路３３に対して各電池セル１０のセル電圧や電源電圧Ｖ２を検出する指令や電池セル１０に流れる電流を検出する指令を出し、これらのデータを取得する。
【００４５】
そして、マイコン３４は、電源電圧Ｖ２が電源電圧Ｖ１よりも高くなるように、昇圧回路３１を制御する。この場合、全てのセル電圧を足し合わせた電圧を電源電圧Ｖ１とし、この電源電圧Ｖ１と電源電圧Ｖ２とを比較して電源電圧Ｖ２が電源電圧Ｖ１よりも常に高くなるように昇圧回路３１を制御する。
【００４６】
これにより、セル監視回路３３は補機電源２０を電源供給源として動作するので、電池セル１０の電力を消費しなくて済む。すなわち、電池セル１０からセル監視回路３３に消費電流が流れないので、電池セル１０のセル電圧のばらつきの発生が抑制される。また、電池セル１０からセル監視回路３３に電流を流さないことで、電池セル１０からＯＲ回路３２のダイオード３２ａまでの経路における抵抗損失により、電池セル１０の電力を無駄に消費することもない。
【００４７】
このように、マイコン３４が昇圧回路３１の制御を行っているにも関わらず、電源電圧Ｖ１が電源電圧Ｖ２よりも高い場合、マイコン３４は昇圧回路３１または補機電源２０が故障したと判定する。この場合、補機電源２０により構成される電源供給源からセル監視回路３３に動作電源が供給されないが、ＯＲ回路３２により複数の電池セル１０により構成される電源供給源からセル監視回路３３に動作電源が供給される。このため、セル監視回路３３は正常に動作を続けることができる。
【００４８】
さらに、マイコン３４は、上述のように、電源電圧Ｖ２が電源電圧Ｖ１よりも常に高くなるように電源電圧Ｖ１と電源電圧Ｖ２とを比較している。しかしながら、セル電圧が所定値よりも低いときには、電源電圧Ｖ１も低くなるので、補機電源２０により構成された電源供給源から無駄に高い電源電圧Ｖ２がセル監視回路３３に供給されてセル監視回路３３で消費電流が上がる。したがって、マイコン３４は、電源電圧Ｖ１と電源電圧Ｖ２との差が所定範囲に含まれるように昇圧回路３１を制御して電源電圧Ｖ２を調節することで、電源電圧Ｖ１と電源電圧Ｖ２との差を小さくする。これにより、セル監視回路３３の消費電流が上がってセル監視回路３３を構成するトランジスタ等の素子が発熱することを回避することができる。
【００４９】
そして、取得したセル電圧のデータを用いて、セル電圧と過充電閾値あるいは過放電閾値とを比較することにより、電池セル１０の過充放電判定を行う。例えば、マイコン３４が電池セル１０の過充電を検出した場合、セル監視回路３３に対して、該当する電池セル１０を放電させて他の電池セル１０との均等化を図る指令を出す。また、マイコン３４は、取得したセル電圧のデータと電池セル１０に流れる電流のデータとを用いて電池セル１０全体の残存容量を算出する。
【００５０】
以上説明したように、本実施形態では、電池電圧監視装置３０にＯＲ回路３２を備えることにより、複数の電池セル１０により構成される電源供給源と、補機電源２０により構成される電源供給源とからセル監視回路３３に動作電源を供給することが特徴となっている。
【００５１】
このように、ＯＲ回路３２を用いることで少なくとも２つの電源供給源からセル監視回路３３の動作電源を取得しているので、セル監視回路３３における動作電源の冗長性を向上させることができる。したがって、電池セル１０が故障した場合や補機電源２０が車両から取り外された場合等、２つの電源供給源のうちのいずれか一方から動作電源の供給を受けられなくなっても、他方から動作電源の供給を受けることができるので、セル監視回路３３が動作し続けることができる。したがって、電池電圧監視装置の動作の信頼性を確保することができる。
【００５２】
また、ＯＲ回路３２をダイオード３２ａ、３２ｂで構成しているので、簡素な構成でセル監視回路３３の動作電源の冗長設計を行うことができる。そして、本実施形態では、電池電圧監視装置３０を車両に適用しているので、補機電源２０を新たに用意しなくても車両に予め装備された車載バッテリ等を用いることができる。
【００５３】
なお、本実施形態の記載と特許請求の範囲の記載との対応関係については、ＯＲ回路３２が特許請求の範囲の「電源入力手段」に対応し、補機電源が特許請求の範囲の「複数の電池セルとは異なる電源」に対応する。また、昇圧回路３１が特許請求の範囲の「昇圧手段」に対応する。
【００５４】
（第２実施形態）
本実施形態では、主に第１実施形態と異なる部分について説明する。図２は、本発明の第２実施形態に係る電池電圧監視装置３０を含んだ電池電圧監視システムの全体構成図である。
【００５５】
本実施形態では、図２に示されるように、複数の電池セル１０をグループ化したブロック１１が複数直列接続され、複数のブロック１１それぞれにセル監視回路３３が備えられている。本実施形態では、ブロック１１が、「複数の電池セル１０により構成される電源供給源」に相当する。
【００５６】
また、３つのブロック１１が直列接続されている。したがって、直列接続された３つのブロック１１のうち最も高電圧側の電池セル１０の正極と各ブロック１１のうち最も低電圧側の電池セル１０の負極とが負荷等に接続される。
【００５７】
なお、複数のブロック１１のうち最も高電圧側のブロック１１の電源電圧をＶ１１とし、最も高電圧側のブロック１１から２段目のブロック１１の電源電圧をＶ１２とし、最も低電圧側のブロック１１の電源電圧をＶ１３とする。
【００５８】
さらに、各セル監視回路３３に対してＯＲ回路３２および昇圧回路３１が接続されている。各昇圧回路３１は、補機電源２０にそれぞれ接続されている。そして、各セル監視回路３３とマイコン３４との間でデータのやりとりが行われる構成になっている。
【００５９】
このような構成によると、各セル監視回路３３それぞれには、各セル監視回路３３に備えられたＯＲ回路３２を介して、当該セル監視回路３３に対応したブロック１１により構成される電源供給源と、ブロック１１とは異なる補機電源２０により構成される電源供給源とから動作電源が供給される。
【００６０】
具体的には、複数のブロック１１のうち最も高電圧側のブロック１１に対応するセル監視回路３３においては、当該ブロック１１により構成される電源供給源からダイオード３２ａを介して当該セル監視回路３３に電源電圧Ｖ１１の動作電源が供給される一方、補機電源２０から昇圧回路３１およびダイオード３２ｂを介して当該セル監視回路３３に電源電圧Ｖ２の動作電源が供給される。
【００６１】
同様に、複数のブロック１１のうち最も高電圧側から２段目のブロック１１に対応するセル監視回路３３に対しては、ＯＲ回路３２を介して、当該ブロック１１により構成される電源供給源から電源電圧Ｖ１２の動作電源が供給されると共に、補機電源２０の電圧が昇圧回路３１により昇圧された電源電圧Ｖ２の動作電源が供給される。また、複数のブロック１１のうち最も低電圧側のブロック１１に対応するセル監視回路３３に対しては、ＯＲ回路３２を介して、当該ブロック１１により構成される電源供給源から電源電圧Ｖ１３の動作電源が供給されると共に、補機電源２０の電圧が昇圧回路３１により昇圧された電源電圧Ｖ２の動作電源が供給される。
【００６２】
このような構成において、マイコン３４は、各セル監視回路３３から各ブロック１１を構成する電池セル１０のセル電圧のデータを取得し、ブロック１１毎に電源電圧Ｖ１１〜Ｖ１３を取得する。
【００６３】
そして、取得したブロック１１毎の各電源電圧Ｖ１１〜Ｖ１３のうち１つの電源電圧が他の電源電圧よりも高い場合、マイコン３４は当該高い電源電圧に対応するセル監視回路３３に対して補機電源２０により構成される電源供給源から供給される動作電源の電源電圧Ｖ２を当該高い電源電圧よりも低くするように昇圧回路３１を制御する。
【００６４】
ここで、「１つの電源電圧が他の電源電圧よりも高い場合」とは、電源電圧Ｖ１１〜Ｖ１３のいずれかが所定の閾値を超える場合等である。
【００６５】
例えば、３つの電源電圧Ｖ１１〜Ｖ１３のうち電源電圧Ｖ１１が所定の閾値を超えた最も高い電圧であるとする。この場合、マイコン３４は当該電源電圧Ｖ１１が供給されるセル監視回路３３に対応した昇圧回路３１に対して、補機電源２０の電圧を昇圧した電源電圧Ｖ２が電源電圧Ｖ１１よりも低くなるように昇圧回路３１を制御する。
【００６６】
これにより、最も高い電源電圧Ｖ１１を供給するブロック１１に対応したセル監視回路３３には、補機電源２０の電圧が昇圧された電源電圧Ｖ２ではなく、当該ブロック１１の電源電圧Ｖ１１が供給される。このため、当該ブロック１１の電流がセル監視回路３３で消費されるので、当該ブロック１１の電源電圧Ｖ１１を他のブロックの電源電圧Ｖ１１、Ｖ１２まで下がる。したがって、各ブロック１１の電源電圧Ｖ１１〜Ｖ１３の均等化を図ることができる。
【００６７】
このようにして、電源電圧Ｖ１１〜Ｖ１３の均等化を図った後、マイコン３４は下げた電源電圧Ｖ２を再び電源電圧Ｖ１１よりも高くするように昇圧回路３１を制御することとなる。
【００６８】
なお、本実施形態の記載と特許請求の範囲の記載との対応関係については、マイコン３４が特許請求の範囲の「制御手段」に対応する。
【００６９】
（他の実施形態）
上記各実施形態では、電池電圧監視装置３０をハイブリッド車等の電気自動車に適用することについて説明したが、これは電池電圧監視装置３０の適用の一例であり、車両に限らず電池セル１０の監視を行うものとして用いることができる。したがって、補機電源２０としては、外部電源等の他の電源を用いることができる。
【００７０】
上記各実施形態では、ＯＲ回路３２はセル監視回路３３とは別体として設けられていたが、例えば図３に示されるように、ＯＲ回路３２がセル監視回路３３に内蔵されていても良い。なお、図３では１つのセル監視回路３３のみを示しているが、第２実施形態のように複数のセル監視回路３３を用いる場合についても、全てのセル監視回路３３にＯＲ回路３２をそれぞれ内蔵することができる。
【００７１】
上記各実施形態では、セル監視回路３３に動作電源を供給する電源供給源は、複数の電池セル１０と補機電源２０の２つであったが、３つ以上の電源供給源からセル監視回路３３に動作電源が供給されるようにしても良い。この場合、ＯＲ回路３２には電源供給源の数と同じ数のダイオードが備えられ、各ダイオードのカソード同士が接続される回路構成となる。
【００７２】
上記第２実施形態では、電池電圧監視装置３０に３つのセル監視回路３３が備えられた構成が示されているが、これは構成の一例であり、ブロック１１の数に応じてセル監視回路３３の数は適宜変更される。
【００７３】
また、上記第２実施形態では、各セル監視回路３３に対応させて昇圧回路３１を設けた構成が示されているが、他の構成であっても良い。例えば、複数のセル監視回路３３に対して１つの昇圧回路が設けられた構成でも良い。この場合、１次側のコイルに対して２次側のコイルを複数設けることにより、複数のセル監視回路３３に対して電源電圧Ｖ２を供給することができる。また、複数のセル監視回路３３に対して１つの昇圧回路を設ける構成にすることで、電池電圧監視装置３０の構成を簡素化することができる。
【符号の説明】
【００７４】
１０            電池セル
１１            ブロック
２０            補機電源（複数の電池セルとは異なる電源）
３１            昇圧回路（昇圧手段）
３２            ＯＲ回路（電源入力手段）
３２ａ、３２ｂ  ダイオード
３３            セル監視回路
３４            マイコン（制御手段）
【図１】
2011163847.tif 000003
【図２】
2011163847.tif 000004
【図３】
2011163847.tif 000005